(57)【要約】【課題】本発明は、コーヒーや紅茶等の香や風味を損なうことのない美味しいコーヒーや紅茶をだれでも簡単にいれることができるスタンドドリップバッグを提供する。【解決手段】スタンドドリップバッグ１０のスタンド体１２の天面板部６０にはバッグ吊下体７２が載置される。バッグ吊下体７２の載置板部７４には下方に向かってガイド筒部７６が突設されている。また、載置板部７４には係止突起７８が対向して突設されている。前記バッグ吊下体７２にはコーヒー粉が収容されたバッグ本体８２を有するフィルターバッグ８０が吊り下げられる。バッグ本体８２の上端縁８２Ａには係止片８４が取り付けられている。この係止片８４には係止孔８６が貫通形成され前記係止突起７８が挿入するようになっている。【選択図】    図１
2004159776.tif 000002
【特許請求の範囲】
【請求項１】
スタンド体と、このスタンド体に取り付けられるバッグ吊下体と、このバッグ吊下体の載置板部の下方に向かって突設されるガイド筒部と、前記載置板部にガイド筒部を挟んで対向して突設された係止突起と、前記バッグ吊下体にカップと離間した状態で吊り下げられると共にコーヒー粉等が収容されたバッグ本体を設けたフィルターバッグと、このバッグ本体に互いに対向して貫通形成されると共に前記係止突起が挿入される係止孔と、を有してなることを特徴とするスタンドドリップバッグ。
【請求項２】
箱状に形成されたスタンド体と、このスタンド体の天面板部に貫通形成されたバッグ吊下開口部と、この天面板部に載置されるバッグ吊下体と、このバッグ吊下体の載置板部の下方に向かって突設されると共に前記バッグ吊下開口部に挿入されるガイド筒部と、前記載置板部にガイド筒部を挟んで対向して突設された係止突起と、前記バッグ吊下体にカップと離間した状態で吊り下げられると共にコーヒー粉等が収容されたバッグ本体を設けたフィルターバッグと、このバッグ本体の上端縁に互いに対向して取り付けられた係止片と、この係止片に貫通形成されると共に前記係止突起が挿入される係止孔と、前記スタンド体の下部に形成されてスタンド体内にカップを出し入れできるカップ用切欠と、を有してなることを特徴とするスタンドドリップバッグ。
【請求項３】
箱状に形成されたスタンド体と、このスタンド体の天面板部に貫通形成されたバッグ吊下開口部と、この天面板部に載置されるバッグ吊下体と、このバッグ吊下体の載置板部の下方に向かって突設されると共に前記バッグ吊下開口部に挿入されるガイド筒部と、前記載置板部にガイド筒部を挟んで対向して突設された係止突起と、前記バッグ吊下体にカップと離間した状態で吊り下げられると共にコーヒー粉等が収容されたバッグ本体を設けたフィルターバッグと、このバッグ本体の上端縁に互いに対向して取り付けられた係止片と、この係止片に貫通形成されると共に前記係止突起が挿入される係止孔と、前記係止片の基端部両側に形成された切込と、前記スタンド体の下部に形成されてスタンド体内にカップを出し入れできるカップ用切欠と、前記スタンド体に形成されてスタンド体内を外から見ることができる窓部と、を有してなることを特徴とするスタンドドリップバッグ。
【発明の詳細な説明】
【０００１】
【発明の属する技術分野】
本発明は、主にコーヒーや紅茶等をいれる場合に家庭や職場等で簡単に使用することができるスタンドドリップバッグに関する。
【０００２】
【従来の技術】
コーヒーや紅茶の普及により家庭や職場等で美味しいコーヒーや紅茶を飲むため簡易ドリップバッグが提案されている。
ところで、従来の簡易ドリップパックはコーヒー豆を挽いたコーヒー粉が収容されたフィルターバッグを直接コーヒーカップに入れ、フィルターバッグ内のコーヒー粉にお湯を注ぎ暫くしてから前記フィルターバッグをコーヒーカップから取り出してコーヒーをいれている。
しかし、このタイプの簡易ドリップバッグは上述したようにコーヒーカップ内にフィルターバッグを入れてしまうためコーヒー粉がお湯に漬けられた状態になる。
このため、フィルターバッグ内のコーヒー粉がお湯に漬けられる結果、あくや渋味が出すぎて折角のコーヒーの香や風味を損なってしまい、コーヒーの味が低下してしまうという不具合がある。
【０００３】
【発明が解決しようとする課題】
本発明は上記事実に鑑みなされたものであり、コーヒーや紅茶等の香や風味を損なうことのない美味しいコーヒーや紅茶をだれでも簡単にいれることができるスタンドドリップバッグを提供するものである。
【０００４】
【課題を解決するための手段】
請求項１の発明は、スタンド体と、このスタンド体に取り付けられるバッグ吊下体と、このバッグ吊下体の載置板部の下方に向かって突設されるガイド筒部と、前記載置板部にガイド筒部を挟んで対向して突設された係止突起と、前記バッグ吊下体にカップと離間した状態で吊り下げられると共にコーヒー粉等が収容されたバッグ本体を設けたフィルターバッグと、このバッグ本体に互いに対向して貫通形成されると共に前記係止突起が挿入される係止孔と、を有してなることを特徴としている。
請求項２の発明は、箱状に形成されたスタンド体と、このスタンド体の天面板部に貫通形成されたバッグ吊下開口部と、この天面板部に載置されるバッグ吊下体と、このバッグ吊下体の載置板部の下方に向かって突設されると共に前記バッグ吊下開口部に挿入されるガイド筒部と、前記載置板部にガイド筒部を挟んで対向して突設された係止突起と、前記バッグ吊下体にカップと離間した状態で吊り下げられると共にコーヒー粉等が収容されたバッグ本体を設けたフィルターバッグと、このバッグ本体の上端縁に互いに対向して取り付けられた係止片と、この係止片に貫通形成されると共に前記係止突起が挿入される係止孔と、前記スタンド体の下部に形成されてスタンド体内にカップを出し入れできるカップ用切欠と、を有してなることを特徴としている。
請求項３の発明は、箱状に形成されたスタンド体と、このスタンド体の天面板部に貫通形成されたバッグ吊下開口部と、この天面板部に載置されるバッグ吊下体と、このバッグ吊下体の載置板部の下方に向かって突設されると共に前記バッグ吊下開口部に挿入されるガイド筒部と、前記載置板部にガイド筒部を挟んで対向して突設された係止突起と、前記バッグ吊下体にカップと離間した状態で吊り下げられると共にコーヒー粉等が収容されたバッグ本体を設けたフィルターバッグと、このバッグ本体の上端縁に互いに対向して取り付けられた係止片と、この係止片に貫通形成されると共に前記係止突起が挿入される係止孔と、前記係止片の基端部両側に形成された切込と、前記スタンド体の下部に形成されてスタンド体内にカップを出し入れできるカップ用切欠と、前記スタンド体に形成されてスタンド体内を外から見ることができる窓部と、を有してなることを特徴としている。
【０００５】
【発明の実施の形態】
図１〜図６には本発明に係るスタンドドリップバッグ１０の一実施例が示されている。なお、この実施例ではスタンドドリップバッグ１０を使用してコーヒーをいれる場合を例にして説明する。
図１及び図２に示されるように、このスタンドドリップバッグ１０のスタンド体１２は縦長の箱状に形成されている。なお、この実施例ではスタンド体１２は図６に示される形状の一枚の厚紙１４を折り曲げることにより形成している。なお、図６に示されるスタンド体１２の展開図は厚紙１４の内側面を図６手前側面にして図示している。
図６に示されるように、前記スタンド体１２の正面板部１６の下方にはカップ用切欠１７が形成されている。また、正面板部１６には円形状の窓部１８が貫通形成されている。この正面板部１６の一側には折線２０を介して第１側板部２２が連続形成されている。この第１側板部２２には差込スリット２４が形成され、第１側板部２２の下部に折線２６を介して形成された差込片２８を差し込むことができるようになっている。また、第１側板部２２の上部には折線３０を介して上折曲片３２が連続形成されている。
前記正面板部１６の他側には折線３４を介して第２側板部３６が連続形成されている。この第２側板部３６には差込スリット３８が形成され、第２側板部３６の下部に折線４０を介して形成された差込片４２を差し込むことができるようになっている。また、第２側板部３６の上部には折線４４を介して上折曲片４６が連続形成されている。
前記第２側板部３６の他側には折線４８を介して第３側板部５０が連続形成されている。この第３側板部５０には差込スリット５２が形成され、第３側板部５０の下部に折線５４を介して形成された差込片５６を差し込むことができるようになっている。また、第３側板部５０の上部には折線５８を介して天面板部６０が連続形成されている。この天面板部６０にはスリット６１を３本形成することにより、開口扉片６２，６２が対向して形成されている。これら開口扉片６２，６２を押すことにより、前記天面板部６０にはバッグ吊下開口部６４（図２参照）が形成されるようになっている。また、天面板部６０の上部には折線６６を介して差込片６８が連続形成されている。
前記第３側板部５０の他側には折線７０を介して糊代片７２が連続形成されている。この糊代片７２は厚紙１４を折り曲げてスタンド体１２を組み立てる場合に前記第１側板部２２に適宜手段で接着するものである。
図２に示されるように前記厚紙１４を組み立てて形成されたスタンド体１２の天面板部６０には合成樹脂製のバッグ吊下体７２が載置されるようになっている。
このバッグ吊下体７２の載置板部７４は平面視矩形状に形成され、前記スタンド体１２の天面板部６０に載置されるようになっている。この載置板部７４の中央部には下方に向かって角筒状のガイド筒部７６が突設して一体形成されている。従って、前記バッグ吊下体７２をスタンド体１２の天面板部６０に載置するとガイド筒部７６は前記バッグ吊下開口部６４に挿入されるようになっている。また、前記載置板部７４には係止突起７８，７８が対向して突設されている。
前記バッグ吊下体７２にはフィルターバッグ８０が吊り下げられるようになっている。このフィルターバッグ８０の袋状のバッグ本体８２にはコーヒー豆を挽いて粉にしたコーヒー粉（図示せず）が適宜量収容されている。また、前記バッグ本体８２はお湯を注ぐことによりお湯は通過するが前記コーヒー粉は通過しないフィルター構造素材で形成されている。
前記バッグ本体８２の上端縁８２Ａ，８２Ａには係止片８４，８４が互いに対向して取り付けられている。この係止片８４，８４には係止孔８６，８６が貫通形成されている。この係止孔８６，８６には前記バッグ吊下体７２の係止突起７８，７８が挿入するようになっている。
図３に示されるように、前記係止片８４の基端部両側には切込８８，８８が形成されている。従って、図５に示されるように、係止片８４を容易にバッグ吊下体７２の載置板部７４と水平になるように折り曲げて係止突起７８を係止孔８６に確実に挿入できるようになっている。
また、前記バッグ本体８２の上端縁８２Ａ，８２Ａには粘着剤が塗布され、バッグ本体８２の上端縁８２Ａを仮接着することによりバッグ本体８２を密閉できるようになっている。これによりバッグ本体８２に収容されているコーヒー粉がこぼれるのを防止すると共にコーヒー粉が空気に触れて酸化するのを防止している。
なお、図４に示されるように前記バッグ本体８２の下端部８２Ｂは円弧状に形成されている。これにより、バッグ本体８２の底幅が小さくなることによりお湯をバッグ本体８２に注いだ場合にコーヒーの落下幅も小さくなり下方に位置するコーヒーカップ９０にこぼれないで注げるようになっている。、
図１に示されるように、前記スタンド体１２の正面板部１６の下方に形成された前記カップ用切欠１７はスタンド体１２内にコーヒーカップ９０を出し入れできるようになっている。
また、前記スタンド体１２の正面板部１６には窓部１８が形成されているので、スタンド体１２内にコーヒーカップ９０を入れても窓部１８を介してコーヒーカップ９０を見ることができるようになっている。
【０００６】
次に、前記スタンドドリップバッグ１０を用いてコーヒーをいれる場合を説明する。
まず、箱状に組み立てられたスタンド体１２の内にカップ用切欠１７を介してコーヒーカップ９０を入れる。
次に、前記スタンド体１２の天面板部６０にバッグ吊下体７２を載置させると共にバッグ吊下体７２のガイド筒部７６を前記バッグ吊下開口部６４に挿入する。そして、仮接着されている前記フィルターバッグ８０のバッグ本体８２の上端縁８２Ａ，８２Ａを開封して前記バッグ吊下体７２にフィルターバッグ８０のバッグ本体８２を挿入すると共に係止片８４，８４の係止孔８６，８６にバッグ吊下体７２の係止突起７８，７８を挿入する。
これにより、図１に示されるように、フィルターバッグ８０はスタンド体１２に確実に支持されると共にコーヒーカップ９０の上方にコーヒーカップ９０と距離を置いて吊り下げることができる。
そして、バッグ本体８２の中のコーヒー粉にお湯を注ぐと、お湯がコーヒー粉を通過する際にコーヒー成分が溶解抽出されてバッグ本体８２の下端部８２Ｂからコーヒーカップ９０に落ちる。なお、バッグ本体８２の中にお湯を注いでもバッグ本体８２はガイド筒部７６の内部に位置しているのでお湯がスタンド体１２に当たるのを阻止できる。
従って、本発明のスタンドドリップバッグ１０においてはフィルターバッグ８０はスタンド体１２によってコーヒーカップ９０と距離を設けて吊り下げられるので、バッグ本体８２がコーヒーカップ９０内に入ってお湯に漬けられることがない。
この結果、あくや渋味が出すぎることが無く、香や風味が豊かな美味しいコーヒーをだれでも簡単にいれることができる。
【０００７】
なお、前記スタンドドリップバッグ１０のスタンド体１２は箱状に形成されているので、スタンドドリップバッグ１０を販売する場合に空洞になっているスタンド体１２の内部にバッグ吊下体７２や複数のフィルターバッグ８０を収容して販売してもよい。
【０００８】
なお、実施例ではスタンドドリップバッグ１０を使用してコーヒーをいれる場合を説明したが、スタンドドリップバッグ１０の使用用途はコーヒーに限定されるものでなく紅茶や緑茶等をいれる場合に用いてもよいことは勿論である。
また、実施例では一枚の厚紙１４を折り曲げて箱状のスタンド体１２を形成したが、スタンド体１２は他の材料で形成してもよいし、箱状以外の形状でもよいことは勿論である。
【０００９】
【発明の効果】
本発明のスタンドドリップバッグは、フィルターバッグはスタンド体によってカップと距離を設けて係止されるので、バッグ本体がカップ内に入ってお湯に漬かることがないので、香や風味が豊かで美味しいコーヒー等をだれでも簡単にいれることができるという優れた効果を有する。
【図面の簡単な説明】
【図１】実施例のスタンドドリップバッグの使用状態を示す全体斜視図である。
【図２】実施例のスタンドドリップバッグの分解斜視図である。
【図３】実施例のスタンドドリップバッグに使用されるフィルターバッグの平面図である。
【図４】実施例のスタンドドリップバッグに使用されるフィルターバッグの側面図である。
【図５】実施例のスタンドドリップバッグのバッグ吊下体にフィルターバッグを取り付けた状態の斜視図である。
【図６】実施例のスタンドドリップバッグのスタンド体の展開図である。
【符号の説明】
１０    スタンドドリップバッグ
１２    スタンド体
１７    カップ用切欠
１８    窓部
６０    天面板部
６４    バッグ吊下開口部
７２    バッグ吊下体
７４    載置板部
７６    ガイド筒部
７８    係止突起
８０    フィルターバッグ
８２    バッグ本体
８４    係止片
８６    係止孔
８８    切込
【図１】
2004159776.tif 000003
【図２】
2004159776.tif 000004
【図３】
2004159776.tif 000005
【図４】
2004159776.tif 000006
【図５】
2004159776.tif 000007
【図６】
2004159776.tif 000008